(57)【特許請求の範囲】
【請求項１】
表示部品を保持する表示部品ホルダーと、前記表示部品ホルダーの長手方向両端に設けられた連結脚と、前記連結脚を回動自在に保持する支持台と、前記支持台上に複数設けられたストッパー部と、前記表示部品ホルダーに複数設けられかつ前記表示部品ホルダーの回動中は前記ストッパー部上を摺動し前記表示部品ホルダーの回動後は前記ストッパー部に当接する保持部材とを備え、前記保持部材は、その長手方向の一端部が前記表示部品ホルダーに固定され、他端部は前記表示部品ホルダーの回動後に前記ストッパー部に当接することを特徴とする表示部品装着装置。
【請求項２】
ストッパー部には、表示部品ホルダーの回動中に保持部材が摺動する円弧部と、前記表示部品ホルダーの回動後に保持部材の端部が当接する当接部とを有することを特徴とする請求項１記載の表示部品装着装置。
【発明の詳細な説明】
【０００１】
【発明の属する技術分野】
本発明は、各種機器の表示部品を装置本体に装着する際に利用して有効な表示部品装着装置に関するものである。
【０００２】
【従来の技術】
以下に従来の表示部品装着装置について図面を用いて説明する。
【０００３】
図４は従来の表示部品装着装置における表示部品を表示部品ホルダーに装着する前の状態を示す斜視図、図５は従来の表示部品装着装置における表示部品を表示部品ホルダーに装着後の状態を示す斜視図、図６はストッパー部周辺の動作状態を示す要部斜視図である。図において、１０は機器の各種表示を行う表示部品、１１は表示部品１０の長手方向端部に複数設けられ表示部品１０とプリント基板間の信号の送受を行う端子、１２は端子１１が電気的に接続されるプリント基板、１は表示部品１０を保持する表示部品ホルダー、５は表示部品ホルダー１をプリント基板１２上に支持する支持台、１ａは表示部品ホルダー１の両端に設けられ支持台５に回動自在に連結される連結脚、８は支持台５上において複数の連結脚１ａにそれぞれ隣接配置された板バネで、表示部品ホルダー１の回動方向に対し直交方向にたわむようになっている。３は連結脚１ａの側面に設けられた円弧形状のストッパー部で、表示部品ホルダー１の９０゜回動時に位置決めするため略１／４円形状を有している。ストッパー部３には、板バネ８を容易にたわませるように傾斜部３ａと、表示部品ホルダー１の回動後の位置決めの際に板バネ８と当接する当接部３ｂとが設けられている。４は表示部品ホルダー１に複数個設けられ表示部品１０の端子１１が挿通される第１の挿通孔で、端子１１の本数と同数かそれ以上設けられている。６は表示部品ホルダー１を回動自在に保持するために支持台５に設けられた回動軸、９は支持台５に設けられ端子１１が挿通される第２の挿通孔であり、端子１１の本数と同数かそれ以上設けられている。
【０００４】
以上のように構成された従来の表示部品装着装置について、以下その動作について説明する。
【０００５】
まず、図４に示すように、表示部品１０を矢印Ａ方向に移動させ、表示部品ホルダー１上に載置すると共に、表示部品１０に設けられた複数の端子１１を複数の挿通孔４に挿通する。挿通孔４を挿通した端子１１は、次に支持台５の挿通孔９を挿通し、プリント基板１２上の接続端子（図示せず）に電気的に接続する。その後、表示部品ホルダー１を回動軸６を中心に矢印Ｂ方向に約９０゜回動させて、図５に示すような状態にすることにより、連結脚１ａ側面に設けられたストッパー部３と板バネ８とにより位置決めされる。
【０００６】
次に表示部品ホルダー１の回動時の板バネ８とストッパー部３の動作について図６を用いて説明する。
【０００７】
まず、図４に示すような表示部品ホルダー１の回動前の時には、図６（ａ）に示すような状態となっている。この後、表示部品ホルダー１が図４の矢印Ｂ方向に回動し始めると、図６（ｂ）に示すようにストッパー部３の傾斜部３ａが板バネ８を押圧し、板バネ８は矢印Ｅ方向にたわむ。さらに表示部品ホルダー１が回動を続けるとストッパー部３は板バネ８に摺動し、図５に示すように表示部品ホルダー１が約９０゜回動した時には、図６（ｃ）に示すようにストッパー部３は板バネ８を通り過ぎて、板バネ８が基の形状になる。この時、ストッパー部３の当接部３ｂが板バネ８の側面に当接して、表示部品ホルダー１の位置決めを行っている。
【０００８】
【発明が解決しようとする課題】
しかしながら上記の従来の構成では、図５に示すように表示部品ホルダー１の回動後の位置決めを板バネ８とストッパー部３とによる、表示部品ホルダーの長手方向両端２カ所のみで行っているため、表示部品ホルダー１の保持力が低く、また、表示部品ホルダー１の長手方向中央部分近傍には保持手段が無いため、使用者が誤って表示部品１０の中央部分を押圧してしまった時に、表示部品ホルダー１が容易にたわみ、表示部品ホルダー１及び表示部品１０を破損してしまうという問題点を有していた。
【０００９】
本発明は上記従来の問題点を解決するもので、表示部品ホルダーの位置決めが確実でかつ高保持力を得ることができる表示部品装着装置を提供することを目的とする。
【００１０】
【課題を解決するための手段】
この目的を達成するために本発明の表示部品装着装置は、表示部品を保持する表示部品ホルダーと、前記表示部品ホルダーの長手方向両端に設けられた連結脚と、前記連結脚を回動自在に保持する支持台と、前記支持台上に複数設けられたストッパー部と、前記表示部品ホルダーに複数設けられかつ前記表示部品ホルダーの回動中は前記ストッパー部上を摺動し前記表示部品ホルダーの回動後は前記ストッパー部に当接する保持部材とを備え、前記保持部材は、その長手方向の一端部が前記表示部品ホルダーに固定され、他端部は前記表示部品ホルダーの回動後に前記ストッパー部に当接するものである。
【００１１】
この構成によって、表示部品ホルダーの位置決めが確実でかつ高保持力を得ることができる。
【００１２】
【発明の実施の形態】
本発明の請求項１及び２に記載の発明は、表示部品を保持する表示部品ホルダーと、前記表示部品ホルダーの長手方向両端に設けられた連結脚と、前記連結脚を回動自在に保持する支持台と、前記支持台上に複数設けられたストッパー部と、前記表示部品ホルダーに複数設けられかつ前記表示部品ホルダーの回動中は前記ストッパー部上を摺動し前記表示部品ホルダーの回動後は前記ストッパー部に当接する保持部材とを備え、前記保持部材は、その長手方向の一端部が前記表示部品ホルダーに固定され、他端部は前記表示部品ホルダーの回動後に前記ストッパー部に当接するものであり、表示部品ホルダーの位置決めが確実でかつ高保持力を得ることができる。
【００１３】
以下、本発明の実施の形態について、図面を参照しながら説明する。
（実施の形態１）
図１は本実施の形態の表示部品装着装置における表示部品を表示部品ホルダーに装着する前の状態を示す斜視図、図２は本実施の形態の表示部品装着装置における表示部品を表示部品ホルダーに装着後の状態を示す斜視図、図３（ａ）〜（ｃ）はストッパー部周辺の動作状態を示す要部側面図である。図において、１０は機器の各種表示を行う表示部品で、例えば液晶表示素子や蛍光管表示素子などがある。１１は表示部品１０の長手方向に複数本設けられ表示部品１０とプリント基板１２間の信号の送受を行う端子、１２は端子１１が電気的に接続されるプリント基板で、本実施の形態では半田付けによる接続を行っている。１は表示部品１０を保持する表示部品ホルダー、１ｂは表示部品ホルダー１における表示部品１０が装着される装着部、５は表示部品ホルダー１をプリント基板１２上に支持する支持台、１ａは表示部品ホルダー１の両端に設けられ支持台５に回動自在に連結される連結脚、４は表示部品ホルダー１に複数個設けられ表示部品１０の端子１１が挿通される第１の挿通孔で、端子１１の本数以上設けられている。６は表示部品ホルダー１を回動自在に保持するために支持台５に設けられた回動軸、９は支持台５に設けられ端子１１が挿通される第２の挿通孔であり、少なくとも端子１１の本数以上設けられている。１３は表示部品ホルダー１の裏面に複数本設けられた保持部材で、本実施の形態では板バネにより構成されている。また保持部材１３は、本実施の形態では図２に示すように３本設けているが、さらに本数を増やすことにより保持力及び強度が増すことは言うまでもない。１４は支持台５上に複数設けられ保持部材１３と係合することにより表示部品ホルダー１の位置決めを行うストッパー部で、本実施の形態では図２に示すように保持部材１３と同数の３カ所設けているが、保持部材１３の本数と共にさらに数を増やすことにより保持力及び強度が増すことは言うまでもない。１４ａはストッパー部１４において表示部品ホルダー１の回動中に保持部材１３がたわみながら摺動する円弧形状をした円弧部、１４ｂはストッパー部１４において表示部品ホルダー１が回動後に保持部材１３の端部が当接する当接部である。
【００１４】
以上のように構成された本実施の形態の表示部品装着装置について、以下その動作について説明する。
【００１５】
まず、表示部品ホルダー１を図１に示すように装着部１ｂが上部にくるような状態において、表示部品１０を矢印Ａ方向に移動させ、表示部品ホルダー１の装着部１ｂ上に載置すると共に、複数の端子１１を複数の第１の挿通孔４に挿通する。第１の挿通孔４を挿通した端子１１は、さらに支持台５の第２の挿通孔９を挿通し、プリント基板１２上の接続端子（図示せず）に電気的に接続する。その後、表示部品ホルダー１を回動軸６を中心に矢印Ｂ方向に約９０゜回動させて、図２に示すような状態にして位置決めが完了する。
【００１６】
ここで表示部品ホルダー１の回動時における保持部材１３とストッパー部１４の動作について図３を用いて説明する。
【００１７】
図１に示すように表示部品ホルダー１の回動前の時には、保持部材１３とストッパー部１４は図３（ａ）に示すような状態となっている。これから表示部品ホルダー１を図１の矢印Ｂ方向に回動させ始めると、保持部材１３は図３（ａ）の矢印Ｃ方向に移動し、図３（ｂ）に示すように保持部材１３がストッパー部１４の円弧部１４ａをたわみながら摺動する。さらに、表示部品ホルダー１が回動を続けると保持部材１３が図３（ｂ）の矢印Ｄ方向に移動し、図２に示すような回動後の状態では、図３（ｃ）のように保持部材１３が基の形状に復帰すると共に、その先端がストッパー部１４の当接部１４ｂに当接する。
【００１８】
以上のように本実施の形態によれば、保持部材１３とストッパー部１４を表示部品ホルダー１及び支持台５の中央部分にも設けることができるので、表示部品ホルダー１の中央部分の強度を向上できると共に、従来に比べ保持手段を増やすことができるので、全体として保持力並びに強度が向上する。
【００１９】
なお、本実施の形態において保持部材１３とストッパー部１４よりなる保持機構は、表示部品ホルダー１及び支持台５の任意の位置に任意の数だけ設けることができ、表示部品ホルダー１の中央部近傍のさらなる保持力強化を行える。
【００２０】
【発明の効果】
以上のように本発明の表示部品装着装置は、表示部品ホルダーの保持手段を２カ所の連結脚間に複数設けたことにより、位置決めを確実かつ高保持力化することができると共に、表示部品ホルダーの中央部分の保持力並びに強度を向上することができるという優れた効果が得られる。
【図面の簡単な説明】
【図１】本発明の実施の形態の表示部品装着装置における表示部品を表示部品ホルダーに装着する前の状態を示す斜視図
【図２】同実施の形態の表示部品装着装置における表示部品を表示部品ホルダーに装着後の状態を示す斜視図
【図３】同実施の形態におけるストッパー部周辺の動作状態を示す要部側面図
【図４】従来の表示部品装着装置における表示部品を表示部品ホルダーに装着する前の状態を示す斜視図
【図５】従来の表示部品装着装置における表示部品を表示部品ホルダーに装着後の状態を示す斜視図
【図６】従来の表示部品装着装置におけるストッパー部周辺の動作状態を示す要部斜視図
【符号の説明】
１  表示部品ホルダー
２  連結脚
５  支持台
１０  表示部品
１３  保持部材
１４  ストッパー部
【図１】
0003582273.tif 000002
【図２】
0003582273.tif 000003
【図３】
0003582273.tif 000004
【図４】
0003582273.tif 000005
【図５】
0003582273.tif 000006
【図６】
0003582273.tif 000007